(57)【要約】      （修正有）【課題】配線機能の切り替えを簡易に行えるとともに、様々な位置関係にある配線受け同士を同一の配線ダクトを用いて効率良く接続可能なテーブルシステムを提供する。【解決手段】天板面の下方に複数の配線受け６が付帯され、これらの配線受け６，６同士が配線ダクト８で接続されたテーブルシステムであって、配線受け６と配線ダクト８との相対位置が、配線ダクト８の長手方向、幅方向及び高さ方向の少なくともいずれかに変更可能とした。【選択図】図５
2014090751.tif 000002
【特許請求の範囲】
【請求項１】
天板面の下方に複数の配線受けが付帯され、これらの配線受け同士が配線ダクトで接続されたテーブルシステムであって、配線受けと配線ダクトとの相対位置が、配線ダクトの長手方向、幅方向及び高さ方向の少なくともいずれかに変更可能であることを特徴とするテーブルシステム。
【請求項２】
前記天板面が複数のテーブルによって形成されており、それらの複数のテーブルを、天板縁部同士を隣接させて配置し、隣接する両テーブルの天板に付帯する配線受け同士を配線ダクトで接続することで天板同士の位置関係を保ち得るように構成され、配線受けと配線ダクトとの相対位置が、配線ダクトの長手方向、幅方向及び高さ方向の少なくともいずれかに変更可能であることを特徴とする請求項１記載のテーブルシステム。
【請求項３】
配線ダクトにおける配線受けとの連結位置を配線ダクトの長手方向に変更可能に構成したことを特徴とする請求項１又は２記載のテーブルシステム。
【請求項４】
配線受けにおける配線ダクトとの連結位置を配線ダクトの幅方向に変更可能に構成したことを特徴とする請求項１〜３のいずれかに記載のテーブルシステム。
【請求項５】
隣接する配線受け同士が、配線ダクトの幅方向に並ぶ２つの配線ダクトによって接続されており、これらの配線ダクト間に、天板の下肢空間を仕切る幕板が設けられていることを特徴とする請求項４記載のテーブルシステム。
【請求項６】
配線受けにおける配線ダクトとの連結位置を配線ダクトの高さ方向に変更可能に構成したことを特徴とする請求項１〜５のいずれかに記載のテーブルシステム。
【請求項７】
前記隣接する配線受けの一方を、天板までの間隔が相対的に小さい底壁を備える第１の配線受けとし、他方を、天板までの間隔が相対的に大きい底壁を備える第２の配線受けとして、
配線ダクトの一端を、そこから上方に延びる連結部材を介して第１の配線受けに連結するとともに、配線ダクトの他端を、第２の配線受けの底壁上に載せた状態で当該第２の配線受けに連結することを特徴とする請求項６に記載のテーブルシステム。
【発明の詳細な説明】
【技術分野】
【０００１】
本発明は、テーブルに付帯する配線受け同士の連結や分離を容易にし、これに伴って個別配線機能や連続配線機能が切り替わるようにしたテーブルシステムに関するものである。
【背景技術】
【０００２】
従来より、それぞれ配線受けを付帯する複数のデスクの天板同士を連結して大型天板を構成することが一般に行われている。このようなもので、配線の連続性を確保したものとして、特許文献１〜４に示すものが知られている。
【０００３】
特許文献１のものは、脚と脚（脚と中間脚）の間を構造体を兼ねる配線ダクトによって接続するようにしたものであり、特許文献２のものは構造体である配線ダクトに天板等を組み付けて大型テーブルを構成するようにしたものであり、特許文献３のものは、連続する配線ダクトに合わせるようにダクト勝手で家具を配置するようにしたものであり、特許文献４のものは、反使用縁に沿って配線ダクトを有するデスクを横連結して配線ダクトを連続させるようにしたものである。
【０００４】
同様に、単一の天板が複数の配線受けを付帯する場合においても、これらの配線受け同士を配線ダクトにより連結させることが必要な場合もある。
【先行技術文献】
【特許文献】
【０００５】
【特許文献１】特開２０１０−１１０４７３号公報
【特許文献２】特開２００９−１４８４９６号公報
【特許文献３】特開２００９−１１２４７２号公報
【特許文献４】特開２０００−０２３７５２号公報
【発明の概要】
【発明が解決しようとする課題】
【０００６】
しかしながら、これらは何れも、予め主体となる自立性を備えた配線ダクトを所要のレイアウトに沿って作るか、天板同士を隣接させた際に配線ダクトが連続するようにデスクに配線ダクトを作っておかなければならない。このため、単体のデスクを簡易に寄せ集めて大型テーブルを構成したり、大型テーブルから簡易に単体のデスクに戻したりする際に、それに伴って個別配線機能や連続配線機能が簡易に切り替わるようなものとは程遠い。近時オフィスにおいて求められているレイアウトの多様性を図るには、このような配線機能の切り替えを簡易に行えるようなテーブルシステムが有効になると考えられる。
【０００７】
また、隣接するテーブルの一方を別のテーブルに変更する際、変更前と異なる仕様のテーブルを隣接させると、それぞれのテーブルに付帯する配線受け同士の間隔や高さ位置等の相対的な位置関係が変わり、変更前に使用していた配線ダクトで配線受け同士を接続できなくなることから、連続配線機能を利用できなくなる。
【０００８】
このような問題には、配線受け同士の位置関係に合わせて複数の配線ダクトを使い分けることで対応できるが、位置関係が変わるようなレイアウト変更を行うたびに、使用する配線ダクトを変更しなければならず手間が掛かるとともに、使用していない他の配線ダクトを保管しておく必要が生じる。
【０００９】
さらに、１つの天板に複数の配線受けを付帯させたテーブルでは、天板の寸法に応じて配線受け同士の間隔が異なることから、相対的にサイズの大きい天板に付帯する配線受け同士と、相対的にサイズの小さい天板に付帯する配線受け同士とを、同一の仕様の配線ダクトで接続することができず、天板のサイズ毎に、配線受け同士の間隔に合わせた配線ダクトを製造しなければならない。
【００１０】
本発明は、上記のような課題に資するテーブルシステムを提供することを目的としており、具体的には、配線機能の切り替えを簡易に行えるとともに、様々な位置関係にある配線受け同士を同一の配線ダクトを用いて効率良く接続可能なテーブルシステムを提供することを目的とする。
【課題を解決するための手段】
【００１１】
本発明は、かかる目的を達成するために、次のような手段を講じたものである。
【００１２】
すなわち、本発明のテーブルシステムは、天板面の下方に複数の配線受けが付帯され、これらの配線受け同士が配線ダクトで接続されたテーブルシステムであって、配線受けと配線ダクトとの相対位置が、配線ダクトの長手方向、幅方向及び高さ方向の少なくともいずれかに変更可能であることを特徴とする。
【００１３】
このように構成すると、配線ダクトで接続しようとする各配線受けが、間隔や高さ位置等の位置関係が異なるものであったとしても、配線受けと配線ダクトとの相対位置が変更して多様な接続形態を取ることで、同一の配線ダクトで接続することができる。したがって、接続しようとする各配線受けが、単一のテーブルの天板面に付帯されているものや、複数のテーブルが隣接することで共同して形成された天板面に付帯されているものであって、様々な位置関係にある場合であっても、同一の配線ダクトで接続することができるので、配線機能の切り替えを簡易に行えるとともに、多様な仕様のテーブルを効率良く隣接配置して接続することができる。
【００１４】
単体のテーブルを隣接させて大型テーブルを構成するにあたり、接続状態からの分離も容易にして、これに伴って個別配線機能や連続配線機能も同時に切り替えるとともに、配線受け同士の位置関係が変わっても同一の配線ダクトを用いて接続可能とするためには、前記天板面が複数のテーブルで形成されており、それら複数のテーブルを、天板縁部同士を隣接させて配置し、隣接する両テーブルの天板に付帯する配線受け同士を配線ダクトで接続することで天板同士の位置関係を保ち得るように構成され、配線受けと配線ダクトとの相対位置が、配線ダクトの長手方向、幅方向及び高さ方向の少なくともいずれかに変更可能であることが望ましい。
【００１５】
隣接させるテーブルを隣接方向に対する天板の寸法が異なるものに変更して配線受け同士の間隔が変わった場合であっても、変更前と同じ配線ダクトを用いて配線受け同士を接続可能とするためには、配線ダクトにおける配線受けとの連結位置を配線ダクトの長手方向に変更可能に構成しておくことが望ましい。
【００１６】
使用する配線の本数に応じて使用する配線ダクトの個数を変更可能とするとともに、天板の下肢空間において配線ダクトの位置を幅方向に移動させて下肢空間のレイアウトの自由度を高めるためには、配線受けにおける配線ダクトとの連結位置を配線ダクトの幅方向に変更可能に構成しておくことが望ましい。
【００１７】
複数人のユーザが天板を挟んで利用する形態のテーブルシステムとして有効に利用するためには、前記配線ダクトによって接続される配線受け同士が、配線ダクトの幅方向に並ぶ２つの配線ダクトによって接続されており、これらの配線ダクト間に、天板の下肢空間を仕切る幕板が設けられるように構成しておくことが望ましい。
【００１８】
隣接するテーブルにそれぞれ付帯された配線受けが相対的に高さ位置の異なるものである場合でも、高さ位置が同じ配線受け同士を接続する場合と同一の配線ダクトを用いて接続するためには、配線受けにおける配線ダクトとの連結位置を配線ダクトの高さ方向に変更可能に構成しておくことが望ましい。
【００１９】
高さ位置の異なる底壁を備える配線受け同士を接続している配線ダクトを水平に配置するためには、前記隣接する配線受けの一方を、天板までの間隔が相対的に小さい底壁を備える第１の配線受けとし、他方を、天板までの間隔が相対的に大きい底壁を備える第２の配線受けとして、配線ダクトの一端を、そこから上方に延びる連結部材を介して第１の配線受けに連結するとともに、配線ダクトの他端を、第２の配線受けの底壁上に載せた状態で当該第２の配線受けに連結するように構成しておくことが望ましい。
【発明の効果】
【００２０】
本発明は、以上説明した構成であるから、配線機能の切り替えを簡易に行えるとともに、様々な位置関係にある配線受け同士を同一の配線ダクトを用いて効率良く接続可能な使い勝手の良いテーブルシステムを提供することができる。
【図面の簡単な説明】
【００２１】
【図１】本発明の一実施形態に係るテーブルシステムに使用される標準テーブルの斜視図。
【図２】標準テーブルに付帯させる第１配線受けの斜視図。
【図３】配線受け同士を接続する配線ダクトの斜視図。
【図４】第１配線受けと配線ダクトとを連結する連結部材の斜視図。
【図５】連結部材を介して第１配線受けと配線ダクトとを連結させた状態を示す斜視図。
【図６】第１配線受け同士を１本の配線ダクトで接続した状態を示す平面図。
【図７】間隔の異なる第１配線受け同士を同一の配線ダクトを用いて接続した状態を説明する説明図。
【図８】配線受け同士を２本の配線ダクトで接続した状態を示す平面図。
【図９】連結部材を介して２本の配線受けと配線ダクトとを連結させた状態を示す斜視図。
【図１０】幅広のテーブルに付帯させる第２配線受けの斜視図。
【図１１】連結部材を介することなく第２配線受けと配線ダクトとを連結させた状態を示す斜視図。
【図１２】第１配線受けと第２配線受けとを１本の配線ダクトで接続した状態を示す平面図。
【図１３】第１配線受けと第２配線受けとを１本の配線ダクトで接続した状態を示す側面図。
【図１４】第１配線受けと第２配線受けとを２本の配線ダクトで接続した状態を示す平面図。
【発明を実施するための形態】
【００２２】
以下、本発明の一実施形態を、図面を参照して説明する。
【００２３】
この実施形態のテーブルシステムは、図１に示す標準テーブル（単位テーブル）Ａを図１に示すように単体で用いるほか、所要個数、所要方向に連結もしくは仮連結することが可能である。
【００２４】
この標準テーブルＡは、天板３により構成される天板面Ｐの下面に図示しない脚ベースを取り付け、その脚ベース１に脚２を取り付けることで、天板３の四隅近傍の下面を脚ベースを介して４本の脚２に支持させたものである。
【００２５】
脚２は棒状のもので、その下端が、図１に示すように支軸ｍから偏位した位置に接地部７１ａを有し支軸ｍの回りに回転可能な首振り式のキャスタ７１によって移動自在に支持されている。
【００２６】
天板３は矩形、より具体的には正方形状のもので、中央に配線を挿通するための孔として天板３の形状に近似した形状、具体的には天板３と相似な正方形状の配線開口たる配線孔３１を肉厚方向に貫通して開口させている。天板３の略中央部の配線孔３１は、その周縁と着座可能な天板縁部３ｘとの距離ｄがどこも略均等であるように設定されている。また、配線孔３１には、図示しない目隠しカバーを取り付けることができる。
【００２７】
天板３下面における配線孔３１の四隅近傍には、図示しない配線受け取付部がインサートナットにより形成されて、この配線受け取付部に図２に示す第１配線受け６を取り付け得るようにしている。
【００２８】
第１配線受け６は、板金を折曲げ加工することによって、底壁６１の対向する２辺に第１〜第３起立片６３〜６５を各々対向するように設け、残りの対向する２辺に１対の第４起立片６２を設け、そのうちの１対の第４起立片６２は先端に取付片６６を外向きに折り曲げて形成したもので、その取付片６６に設けたねじ挿通孔６６ａを利用して、この第１配線受け６を天板３の下面における配線孔３１近傍の上記配線受け取付部に取り付けるようにしている。
【００２９】
第１及び第３起立片６３，６５は、第４起立片６２に近い端部が上方に延びて凸部６３ａ，６５ａを形成し、第２起立片６４は、その中央部が上方に延びて凸部６４ａを形成している。第１及び第３起立片６３，６５の第４起立片６２に近い端部には、ねじ挿通孔６３ｂ，６５ｂがそれぞれ形成されており、これらのねじ挿通孔６３ｂ，６５ｂを利用して、第１〜第３起立片６３〜６５が形成されている辺と平行に延びる取付部材６７が取り付けられている。第１配線受け６は平面視矩形状（略正方形状）のもので、第１配線受け６の内部に形成される配線空間Ｓ１は立ち上げ寸法の小さい第１〜第３起立片６３〜６５側に開放されている。また、底壁６１の略中央部には、第４起立片６２に沿って延びる略矩形状の開口６１ａが形成されている。
【００３０】
第１配線受け６には、必要に応じて図３に示す配線ダクト８を連結可能としている。配線ダクト８は、底壁８１の長手方向に沿う両側に起立片８２、８２を設けた上向きに開口するチャネル状のものであり、長手方向の両端にそれぞれ第１〜第３開口８３〜８５及び複数の貫通孔８９が形成されている。また、底壁８１には、第３開口８５，８５よりも中央側に、略矩形状の２つの開口８１ａが底壁８１の長手方向に離間して形成されている。
【００３１】
第１配線受け６と配線ダクト８とは、図４に示す連結部材９を介して連結することができる。連結部材９は、板金からなる側面視逆Ｕ字状の部材であり、図中の下方に当たる二股に分かれた端部に、ダクト連結片９１をそれぞれ直角に折り曲げ加工により形成し、図中の上方に当たる二股が連結された部位には、上記ダクト連結片９１と逆方向に直角に折り曲げ、そのさらに先端を下方に向かって直角に折り曲げて係止部９４を形成している。ダクト連結片９１にはそれぞれ中央部に貫通孔９１ａが形成され、上記係止部９４の上部には、凸部挿入孔９２が形成され、凸部挿入孔９２の下方には、連結部材９の短辺方向に離間して２つのねじ挿通孔９３が形成されている。
【００３２】
このような連結部材９を介して第１配線受け６及び配線ダクト８を連結させる場合、図５に示すように、凸部挿入孔９２に対して第１配線受け６に設けられた第２起立片６４の凸部６４ａを挿入させて、係止部９４の下方に屈曲した先端を底壁６１に当接させて高さ方向の位置決めをするとともに、ダクト連結片９１を、配線ダクト８に形成された第１〜第３開口８３〜８５のいずれか（本実施形態では第２開口８４）に挿入させる。そしてその位置で、取付部材６７のねじ孔６７ａと連結部材９のねじ挿通孔９３とを利用してねじ止めし、配線ダクト８の貫通孔８９と連結部材９の貫通孔９１ａに、挿入後に先端が拡開するファスナ１１を下方から挿入させて締結している。これによって、連結部材９を介して配線ダクト８を第１配線受け６に懸吊支持させるようにしている。
【００３３】
標準テーブルＡは、前述したようにキャスタ７１によって移動自在とされており、構造も４本脚構造の軽量なものであるため、床上の移動を極めて平易に行うことができる。そして、天板縁部３ｘ，３ｘ同士を突き合わせ、その位置で図６及び図７（ａ）に示すように、天板縁部３ｘ近傍の一対の脚２，２間を通過する配線ダクト８により第１配線受け６，６同士を接続することによって、天板３，３同士の位置関係を配線受け６を介して配線ダクト８で保つように仮連結することができ、連続配線機能も担保して、天板面Ｐを配線ダクト８の長手方向に拡張した状態で連結テーブルとして使用することが可能である。なお、天板面ＰはテーブルＡを単体で用いる場合には、１つのテーブルＡに備わる天板３によって形成されるものであり、テーブルＡ及び後述するテーブルＢ等を複数連結させて用いる場合には、それらのテーブルにそれぞれ備わる複数の天板３により共同して形成されるものである。また、図示例は２連を示しているが、同様の連結構造によって３連または４連以上に増連することもできる。
【００３４】
本実施形態では、前述のように図４等に示すダクト連結片９１は第２開口８４に挿入されており、ダクト連結片９１を挿入させる開口を、図３等に示す配線ダクト８に形成された第１開口８３又は第３開口８５に変更することによって、配線ダクト８における第１配線受け６との連結位置を配線ダクト８の長手方向に変更することができる。例えば、ダクト連結片９１を第１開口８３に挿入させて、図７（ｂ）に示すように第１配線受け６に対して配線ダクト８を長手方向の中央に向けて移動させた位置で連結部材９を介して第１配線受け６と連結することによって、図７（ｂ）に示すように隣接させるテーブルＡを隣接方向に対する天板３の寸法が長いテーブルＢに変更して第１配線受け６，６同士の間隔がｄ１からｄ２に大きくなった場合でも、変更前と同一の配線ダクト８を用いて第１配線受け６，６同士を接続することができる。
【００３５】
実施形態のテーブルシステムでは、第１配線受け６における配線ダクト８との連結位置を配線ダクト８の幅方向に変更することができる。これによって、第１配線受け６に対する配線ダクト８の位置をその幅方向に移動させ、移動させたことで確保されたスペースに図８，９に示すように別の配線ダクト８を幅方向に並べて配置することができるので、第１配線受け６，６同士を複数の配線ダクト８，８で接続することができる。したがって、使用する配線の本数に応じて、使用する配線ダクト８の個数を変更することができる。
【００３６】
第１配線受け６，６同士を２つの配線ダクト８，８で接続する場合、図９に示すように、連結部材９の２つのねじ挿通孔９３、及び、第１配線受け６に取り付けられている取付部材６７のねじ孔６７ａを利用して、第１配線受け６と連結部材９とがねじ止めされる。
【００３７】
本実施形態では、図８に示すように、配線ダクト８の幅方向に並ぶ２つの配線ダクト８，８間に、天板の下肢空間を仕切る幕板１２が設けられている。そのため、天板３，３の下肢空間に配線ダクト８，８及び幕板１２の両方を配置することができ、複数人のユーザが天板３，３を挟んで利用する形態のテーブルシステムとして有効に利用することができる。また、天板３の下肢空間において配線ダクト８の位置をその幅方向に移動させることで、下肢空間のレイアウトの自由度を高めて利用用途の幅を広げることができる。
【００３８】
本実施形態のテーブルシステムでは、第１配線受け６の代わりに図１０に示す第２配線受け２０を用いてもよい。
【００３９】
第２配線受け２０は、板金を折曲げ加工することによって、底壁２１の対向する２辺のそれぞれに起立片２２を設け、各起立片２２の先端それぞれに取付片２３を外向きに折り曲げて形成したもので、その取付片２３にそれぞれ設けたねじ挿通孔２３ａを利用して、この第２配線受け２０を天板３の下面における配線孔３１近傍の配線受け取付部に取り付けるようにしている。第２配線受け２０は平面視矩形状（長方形状）のもので、配線空間Ｓ２は起立片２２の形成されていない２辺側に開放されている。また、底壁２１には、第２の配線受け２０の両端にそれぞれ形成した挿通孔２４よりも中央側に、略矩形状の２つの開口２１ａ，２１ａが底壁２１の長手方向に離間して形成されている。
【００４０】
第２配線受け２０にも、必要に応じて図３に示す配線ダクト８を連結可能である。第２配線受け２０と配線ダクト８とは、図１１に示すように、配線ダクト８の一端を起立片２２，２２間に挿し込んで第２の配線受け２０の底壁２１上に載せた状態で、配線ダクト８の貫通孔８９、及び、第２の配線受け２０の両端にそれぞれ形成した挿通孔２４を利用してファスナ１１で締結している。
【００４１】
第２配線受け２０は、図１３に示すように底壁２１と天板３の下面との間の間隔ｄ４が、第１配線受け６の底壁６１と天板３の下面との間の間隔ｄ３よりも大きい部材であり、例えばテーブルＡよりも隣接方向の天板の寸法が大きいテーブルＢに付帯される。
【００４２】
本実施形態のテーブルシステムでは、第１配線受け６が付帯されたテーブルＡと、第２配線受け２０が付帯されたテーブルＢとを図１２に示すように隣接させることも可能であり、この場合、図１３に示すように、配線ダクト８の一端を、そこから上方に延びる連結部材９を介して第１配線受け６に連結するとともに、配線ダクト８の他端を、第２配線受け２０の底壁２１上に載せた状態で第２配線受け２０に連結することによって、配線ダクト８と連結部材９との連結位置を、第１配線受け６の底壁６１よりも下方にすることができるので、配線ダクト８と連結部材９との連結位置を第２配線受け２０の底壁２１と同じ高さ位置に調整することで、高さ位置の異なる底壁６１，２１を備える第１及び第２配線受け６，２０同士を接続している配線ダクト８を水平に配置することができる。
【００４３】
このように本実施形態のテーブルシステムでは、第１配線受け６及び第２配線受け２０における配線ダクト８との連結位置を配線ダクト８の高さ方向に変更可能に構成したので、隣接するテーブルＡ，Ｂにそれぞれ付帯された第１配線受け及び第２配線受け２０が相対的に高さ位置の異なるものである場合でも、高さ位置が同じ第１配線受け６，６同士を接続する場合と同一の配線ダクト８を用いて接続することができる。
【００４４】
なお、第１配線受け６及び第２配線受け２０における配線ダクト８との連結位置は、連結部材９を介して配線ダクト８と連結する第１配線受け６の場合には、第１配線受け６と連結部材９とを連結した位置であり、連結部材９を介することなく配線ダクト８と連結する第２配線受け２０の場合には、第２配線受け２０と連結部材９とをファスナ１１で締結した位置である。
【００４５】
このように構成される本実施形態のデスクシステムは、従来のデスクシステムにはないレイアウトの自由度を実現するものである。
【００４６】
以上のように、本実施形態のテーブルシステムは、天板面Ｐの下方に複数の配線受け６，２０が付帯され、これらの配線受け６，６同士（６，２０同士、２０，２０同士）が配線ダクト８で接続されたテーブルシステムであって、配線受け６，２０と配線ダクト８との相対位置が、配線ダクト８の長手方向、幅方向及び高さ方向の少なくともいずれかに変更可能であるように構成したので、配線ダクト８で接続しようとする各配線受け６，２０が、間隔や高さ位置等の位置関係が異なるものであったとしても、配線受け６，２０と配線ダクト８との相対位置が変更して多様な接続形態を取ることで、同一の配線ダクト８で接続することができる。したがって、接続しようとする各配線受け６，２０が、単一のテーブルＡ，Ｂの天板面Ｐに付帯されているものや、複数のテーブルＡ，Ｂが隣接することで共同して形成された天板面Ｐに付帯されているものであって、様々な位置関係にある場合であっても、同一の配線ダクト８で接続することができるので、配線機能の切り替えを簡易に行えるとともに、多様な仕様のテーブルを効率良く隣接配置して接続することができる。
【００４７】
また、天板面Ｐが複数のテーブルＡ，Ｂによって形成されるものであり、天板３の下方に配線受け６（２０）が付帯する複数のテーブルＡ，Ａ（Ａ，Ｂ、Ｂ，Ｂ）を、天板縁部３ｘ同士を隣接させて配置し、隣接する両テーブルＡ，Ａ（Ａ，Ｂ、Ｂ，Ｂ）の天板３，３に付帯する配線受け６，６同士（６，２０同士、２０，２０同士）を配線ダクト８で接続することで天板３，３同士の位置関係を保ち得るように構成され、配線受け６（２０）と配線ダクト８との相対位置が、配線ダクト８の長手方向、幅方向及び高さ方向の少なくともいずれかに変更可能であるように構成したので、単体のテーブルＡ（Ｂ）を隣接させて大型テーブルを構成するにあたり、テーブルＡ，Ａ同士（Ａ，Ｂ同士、Ｂ，Ｂ同士）を強固に連結せずとも配線受け６，２０間で連結されることによって天板３，３同士の位置関係を保つことができ、接続状態からの分離も容易にして、これに伴って個別配線機能や連続配線機能も同時に切り替えることができる。また、隣接させるテーブルＡ（Ｂ）を別のテーブルＡ（Ｂ）に変更する際、変更前と異なる仕様のテーブルＢ（Ａ）を隣接させ、配線受け６，６同士（６，２０同士、２０，２０同士）における間隔や高さ位置等の位置関係が変わったとしても、配線受け６（２０）と配線ダクト８との間で相対位置を変更して多様な接続形態を取ることで、変更前と同一の配線ダクト８で配線受け６，６同士（６，２０同士、２０，２０同士）を接続することができる。したがって、配線受け６，６同士（６，２０同士、２０，２０同士）の位置関係に自由度を持たせることができるとともに、当該位置関係が変わっても同一の配線ダクト８を用いて接続可能であることから、様々な仕様のテーブルＡ（Ｂ）を効率良く隣接配置することができる。
【００４８】
また、配線ダクト８における第１配線受け６との連結位置を配線ダクト８の長手方向に変更可能に構成したので、隣接させるテーブルＡを隣接方向に対する天板の寸法が大きいテーブルＢに変更し、第１配線受け６，６同士の間隔が変わった場合でも、第１配線受け６に対して配線ダクト８を長手方向に変位させて連結することで、変更前と同じ配線ダクト８を用いて第１配線受け６，６同士を接続することができる。
【００４９】
また、配線受け６（２０）における配線ダクト８との連結位置を配線ダクト８の幅方向に変更可能に構成したので、配線受け８に対する配線ダクト８の位置をその幅方向に移動させ、移動させることで確保されたスペースに別の配線ダクト８を幅方向に並べて配置して、配線受け６，６同士（６，２０同士）を２つの配線ダクト８，８で接続することができる。したがって、使用する配線の本数に応じて使用する配線ダクト８の個数を変更することができるとともに、天板の下肢空間において配線ダクト８の位置を幅方向に移動させて下肢空間のレイアウトの自由度を高めることができる。
【００５０】
また、配線ダクト８によって接続される配線受け同士６，６が、配線ダクト８の幅方向に並ぶ２つの配線ダクト８によって接続されており、これらの配線ダクト８，８間に、天板３の下肢空間を仕切る幕板１２を設けるように構成したので、複数人のユーザが天板３を挟んで利用する形態のテーブルシステムとして有効に利用することができる。
【００５１】
また、配線受け６，２０における配線ダクト８との連結位置を配線ダクト８の高さ方向に変更可能に構成したので、隣接するテーブルＡ，Ｂにそれぞれ付帯された配線受け６，２０が相対的に高さ位置の異なるものである場合でも、高さ位置が同じ配線受け６，６同士を接続する場合と同一の配線ダクト８を用いて接続することができる。
【００５２】
また、前記隣接する配線受けの一方を、天板３までの間隔が相対的に小さい底壁６１を備える第１配線受け６とし、他方を、天板３までの間隔が相対的に大きい底壁２１を備える第２配線受け２０として、配線ダクト８の一端を、そこから上方に延びる連結部材９を介して第１配線受け６に連結するとともに、配線ダクト８の他端を、第２配線受け２０の底壁２１上に載せた状態で第２配線受け２０に連結するように構成したので、配線ダクト８と連結部材９との連結位置を、第１配線受け６の底壁６１よりも下方にすることができるので、配線ダクト８と連結部材９との連結位置を第２配線受け２０の底壁２１と同じ高さ位置に調整することで、高さ位置の異なる底壁６１，２１を備える配線受け６，２０同士を接続している配線ダクト８を水平に配置することができる。
【００５３】
以上、本発明の一実施形態について説明したが、各部の具体的な構成は、上述した実施形態のみに限定されるものではなく、本発明の趣旨を逸脱しない範囲で種々変形が可能である。
【００５４】
例えば、本実施形態では、第１配線受け６と第２配線受け２０とを接続する配線ダクト８を１つ用いたが、図１４に示すように、配線ダクト８の幅方向に２つ並べて配置してもよい。
【００５５】
また、単体のテーブルＡ（テーブルＢ）に備わる天板３の下面に第１配線受け６（又は第２配線受け２０）を複数付帯させてもよく、これらの第１配線受け６同士（第２配線受け２０同士）を配線ダクト８で接続してもよい。さらに、単体のテーブルＡ（テーブルＢ）に備わる天板３の下面に第１配線受け６及び第２配線受け２０の両方を付帯させてもよく、これらの配線受け６，２０同士を配線ダクト８で接続してもよい。
【００５６】
また、単体のテーブルＡ（テーブルＢ）に備わる天板３の下面に、複数の配線受け６（２０）を付帯させ、これらの配線受け６，６同士（６，２０同士、２０，２０同士）を接続する配線ダクト８，８間に幕板１２を配置してもよい。
【００５７】
さらに、第１配線受け６の第１〜第３起立片６３〜６５の高さを変更し、第１〜第３起立片６３〜６５の上縁と係止部９４を構成する上端の水平片の内向面とを当接させることによって、第１配線受け６における配線ダクト８との連結位置を配線ダクト８の高さ方向に変更することも可能である。
【符号の説明】
【００５８】
３・・・天板
３ｘ・・・天板縁部
６・・・第１配線受け
８・・・配線ダクト
９・・・連結部材
１２・・・幕板
２０・・・第２配線受け
２１，６１・・・底壁
Ａ，Ｂ・・・テーブル
Ｐ・・・天板面
【図１】
2014090751.tif 000003
【図２】
2014090751.tif 000004
【図３】
2014090751.tif 000005
【図４】
2014090751.tif 000006
【図５】
2014090751.tif 000007
【図６】
2014090751.tif 000008
【図７】
2014090751.tif 000009
【図８】
2014090751.tif 000010
【図９】
2014090751.tif 000011
【図１０】
2014090751.tif 000012
【図１１】
2014090751.tif 000013
【図１２】
2014090751.tif 000014
【図１３】
2014090751.tif 000015
【図１４】
2014090751.tif 000016